【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
熱現像感光材料の光学濃度０．５、１．０、１．５および最低光学濃度の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ下記一般式（Ａ−１）で表される還元剤と、下記一般式（Ａ−４）、下記一般式（Ａ−３）で表される化合物を含有することを特徴とする熱現像感光材料。
【化Ａ】
2004094240.tif 000001
（式中、Ｚは炭素原子と共に３〜１０員環を構成するのに必要な原子群を表し、Ｒxは水素原子、アルキル基、アルケニル基、アルキニル基を表す。Ｒ1、Ｒ2、Ｑ0はベンゼン環上に置換可能な基を表し、Ｌは２価の連結基を表し、ｋは０〜１の整数を表し、ｎ及びｍは０〜２の整数を表す。複数のＲ1、Ｒ2、Ｑ0は同じでも異なっていても良い。）
【化Ｂ】
2004094240.tif 000002
（式中、Ｒ41は置換または無置換のアルキル基を表し、Ｒ42は水素原子、置換又は無置換のアルキル基または置換又は無置換のアシルアミノ基を表すが、Ｒ41、Ｒ42は２−ヒドロキシフェニルメチル基であることはない。Ｒ43は水素原子または置換または無置換のアルキル基を表し、Ｒ44はベンゼン環に置換可能な置換基を表す。）
【化Ｃ】
2004094240.tif 000003
（式中、Ｘ1はカルコゲン原子またはＣＨＲを表す。ＣＨＲにおけるＲは水素原子、ハロゲン原子、アルキル基、アルケニル基、アルキニル基を表し、Ｒ3はアルキル基を表し、同一でも異なっていてもよいが、少なくとも一方は２級または３級のアルキル基であり、Ｒ4は水素原子またはベンゼン環に置換可能な基を表す。Ｑ0は一般式（Ａ−１）のＱ0と同義であり、ｎ及びｍは一般式（Ａ−１）のｎ及びｍと同じ整数を表す。）
【請求項２】
熱現像感光材料の光学濃度０．５、１．０、１．５および最低光学濃度の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ縦軸との交点のｖ*値が−５以上５以下であることを特徴とする熱現像感光材料。
【請求項３】
熱現像感光材料の光学濃度０．５、１．０、１．５および最低光学濃度の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ傾き（ｖ*／ｕ*）が０．７以上２．５以下であることを特徴とする熱現像感光材料。
【請求項４】
熱現像感光材料の光学濃度０．５、１．０、１．５および最低光学濃度の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であることを特徴とする熱現像感光材料。
【請求項５】
熱現像感光材料の光学濃度０．５、１．０、１．５および最低光学濃度の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であり、かつ縦軸との交点のｂ*値が−５以上５以下であることを特徴とする熱現像感光材料。
【請求項６】
熱現像感光材料の光学濃度０．５、１．０、１．５および最低光学濃度の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であり、かつ傾き（ｂ*／ａ*）が０．７以上２．５以下であることを特徴とする熱現像感光材料。
【請求項７】
熱現像感光材料の光学濃度０．５、１．０、１．５の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であることを特徴とする熱現像感光材料。
【請求項８】
熱現像感光材料の光学濃度０．５、１．０、１．５の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ縦軸との交点のｖ*値が−５以上５以下であることを特徴とする熱現像感光材料。
【請求項９】
熱現像感光材料の光学濃度０．５、１．０、１．５の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ傾き（ｖ*／ｕ*）が０．７以上２．５以下であることを特徴とする熱現像感光材料。
【請求項１０】
熱現像感光材料の光学濃度０．５、１．０、１．５の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であることを特徴とする熱現像感光材料。
【請求項１１】
熱現像感光材料の光学濃度０．５、１．０、１．５の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であり、かつ縦軸との交点のｂ*値が−５以上５以下であることを特徴とする熱現像感光材料。
【請求項１２】
熱現像感光材料の光学濃度０．５、１．０、１．５の各濃度を測定し、ＣＩＥ  １９７６（Ｌ*ａ*ｂ*）色空間の横軸をａ*、縦軸をｂ*とする二次元座標に、上記各光学濃度でのａ*、ｂ*を配置し作成した線形回帰直線の重決定Ｒ2が０．９９８以上１．０００以下であり、かつ傾き（ｂ*／ａ*）が０．７以上２．５以下であることを特徴とする熱現像感光材料。
【請求項１３】
一般式（Ａ−４）のＲ41、Ｒ42の少なくとも一方が２級または３級のアルキル基であることを特徴とする請求項１に記載の熱現像感光材料。
【請求項１４】
前記一般式（Ａ−１）で表される還元剤が下記一般式（Ａ−２）で表される還元剤であることを特徴とする請求項１又は１３に記載の熱現像感光材料。
【化３】
2004094240.tif 000004
（式中、Ｑ1はハロゲン原子、アルキル基、アルケニル基、アルキニル基、アリール基、またはヘテロ環基を表し、Ｑ2は水素原子、ハロゲン原子、アルキル基、アルケニル基、アルキニル基、アリール基、またはヘテロ環基を表す。Ｇは窒素原子または炭素原子を表すが、Ｇが窒素原子の場合、ｎｇは０であり、Ｇが炭素原子の場合、ｎｇは０または１である。Ｚ2は炭素原子、及びＧとともに３〜１０員の非芳香族環を構成するのに必要な原子群を表す。Ｒ1、Ｒ2、Ｒx、Ｑ0、Ｌ、ｋ、ｎ、及びｍは一般式（Ａ−１）におけるものと同義である。）
【請求項１５】
一般式（Ａ−２）におけるＺ2が表す非芳香環が６員であることを特徴とする請求項１、１３、１４のいずれか１項に記載の熱現像感光材料。
【請求項１６】
前記熱現像感光材料の画像形成層を有する側の層が、ビニル化合物、ヒドラジン誘導体、シラン化合物および４級オニウム塩から選ばれる少なくとも１種の省銀化剤を含有することを特徴とする請求項１〜１５のいずれか１項に記載の熱現像感光材料。
【請求項１７】
請求項１〜１６のいずれか１項に記載の熱現像感光材料を、温度１１０℃以上１４０℃以下、時間５秒以上２０秒以下で現像し、画像を形成することを特徴とする画像形成方法。
【請求項１８】
請求項１〜１６のいずれか１項に記載の熱現像感光材料を、４００ｎｍ以上８３０ｎｍ以下のレーザー波長で露光し、画像を形成することを特徴とする画像形成方法。
【請求項１９】
請求項１〜１６のいずれか１項に記載の熱現像感光材料を、７８０ｎｍ以上８３０ｎｍ以下のレーザー波長で露光し、画像を形成することを特徴とする画像形成方法。
【手続補正２】
【補正対象書類名】明細書
【補正対象項目名】０００８
【補正方法】変更
【補正の内容】
【０００８】
１．熱現像感光材料の光学濃度０．５、１．０、１．５および最低光学濃度の各濃度を測定し、ＣＩＥ  １９７６（Ｌ*ｕ*ｖ*）色空間の横軸をｕ*、縦軸をｖ*とする二次元座標に、上記各光学濃度でのｕ*、ｖ*を配置し作成した線形回帰直線の重決定Ｒ2が０．９９８以上１．０００以下であり、かつ下記一般式（Ａ−１）で表される還元剤と、下記一般式（Ａ−４）、下記一般式（Ａ−３）で表される化合物を含有することを特徴とする熱現像感光材料。
【化Ａ】
2004094240.tif 000005
（式中、Ｚは炭素原子と共に３〜１０員環を構成するのに必要な原子群を表し、Ｒxは水素原子、アルキル基、アルケニル基、アルキニル基を表す。Ｒ1、Ｒ2、Ｑ0はベンゼン環上に置換可能な基を表し、Ｌは２価の連結基を表し、ｋは０〜１の整数を表し、ｎ及びｍは０〜２の整数を表す。複数のＲ1、Ｒ2、Ｑ0は同じでも異なっていても良い。）
【化Ｂ】
2004094240.tif 000006
（式中、Ｒ41は置換または無置換のアルキル基を表し、Ｒ42は水素原子、置換又は無置換のアルキル基または置換又は無置換のアシルアミノ基を表すが、Ｒ41、Ｒ42は２−ヒドロキシフェニルメチル基であることはない。Ｒ43は水素原子または置換または無置換のアルキル基を表し、Ｒ44はベンゼン環に置換可能な置換基を表す。）
【化Ｃ】
2004094240.tif 000007
（式中、Ｘ1はカルコゲン原子またはＣＨＲを表す。ＣＨＲにおけるＲは水素原子、ハロゲン原子、アルキル基、アルケニル基、アルキニル基を表し、Ｒ3はアルキル基を表し、同一でも異なっていてもよいが、少なくとも一方は２級または３級のアルキル基であり、Ｒ4は水素原子またはベンゼン環に置換可能な基を表す。Ｑ0は一般式（Ａ−１）のＱ0と同義であり、ｎ及びｍは一般式（Ａ−１）のｎ及びｍと同じ整数を表す。）
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
１３．一般式（Ａ−４）のＲ41、Ｒ42の少なくとも一方が２級または３級のアルキル基であることを特徴とする前記１に記載の熱現像感光材料。
１４．前記一般式（Ａ−１）で表される還元剤が下記一般式（Ａ−２）で表される還元剤であることを特徴とする前記１又は１３に記載の熱現像感光材料。
【手続補正８】
【補正対象書類名】明細書
【補正対象項目名】００２６
【補正方法】変更
【補正の内容】
【００２６】
（式中、Ｑ1はハロゲン原子、アルキル基、アルケニル基、アルキニル基、アリール基、またはヘテロ環基を表し、Ｑ2は水素原子、ハロゲン原子、アルキル基、アルケニル基、アルキニル基、アリール基、またはヘテロ環基を表す。Ｇは窒素原子または炭素原子を表すが、Ｇが窒素原子の場合、ｎｇは０であり、Ｇが炭素原子の場合、ｎｇは０または１である。Ｚ2は炭素原子、及びＧとともに３〜１０員の非芳香族環を構成するのに必要な原子群を表す。Ｒ1、Ｒ2、Ｒx、Ｑ0、Ｌ、ｋ、ｎ、及びｍは一般式（Ａ−１）におけるものと同義である。）
【手続補正９】
【補正対象書類名】明細書
【補正対象項目名】００２７
【補正方法】変更
【補正の内容】
【００２７】
１５．一般式（Ａ−２）におけるＺ2が表す非芳香環が６員であることを特徴とする前記１、１３、１４のいずれか１項に記載の熱現像感光材料。
【手続補正１０】
【補正対象書類名】明細書
【補正対象項目名】００２８
【補正方法】変更
【補正の内容】
【００２８】
１６．前記熱現像感光材料の画像形成層を有する側の層が、ビニル化合物、ヒドラジン誘導体、シラン化合物および４級オニウム塩から選ばれる少なくとも１種の省銀化剤を含有することを特徴とする前記１〜１５のいずれか１項記載の熱現像感光材料。
【手続補正１１】
【補正対象書類名】明細書
【補正対象項目名】００２９
【補正方法】変更
【補正の内容】
【００２９】
１７．前記１〜１６のいずれか１項に記載の熱現像感光材料を、温度１１０℃以上１４０℃以下、時間５秒以上２０秒以下で現像し、画像を形成することを特徴とする画像形成方法。
【手続補正１２】
【補正対象書類名】明細書
【補正対象項目名】００３０
【補正方法】変更
【補正の内容】
【００３０】
１８．前記１〜１６のいずれか１項に記載の熱現像感光材料を、４００ｎｍ以上８３０ｎｍ以下のレーザー波長で露光し、画像を形成することを特徴とする画像形成方法。
【手続補正１３】
【補正対象書類名】明細書
【補正対象項目名】００３１
【補正方法】変更
【補正の内容】
【００３１】
１９．前記１〜１６のいずれか１項に記載の熱現像感光材料を、７８０ｎｍ以上８３０ｎｍ以下のレーザー波長で露光し、画像を形成することを特徴とする画像形成方法。